(57)【要約】［課題］通信トラフィックを増大させることなく隣接セルリストを作成することを可能とする。［解決手段］  基地局は、隣接する基地局から、隣接する基地局が管理するセルに隣接するセルのリストである第１隣接セルリストを受信する受信手段と、第１隣接セルリストを、自基地局が管理するセルに隣接するセルのリストである第２隣接セルリストとして用いる制御手段と、を備える。
2013065857.tif 000002
【特許請求の範囲】
【請求項１】
隣接する基地局から、前記隣接する基地局が管理するセルに隣接するセルのリストである第１隣接セルリストを受信する受信手段と、
前記第１隣接セルリストを、自基地局が管理するセルに隣接するセルのリストである第２隣接セルリストとして用いる制御手段と、
を備えることを特徴とする基地局。
【請求項２】
前記基地局は、さらに、前記第１隣接セルリストを受信する基地局を選択する選択手段を備えることを特徴とする請求項１に記載の基地局。
【請求項３】
前記選択手段は、前記隣接する基地局が管理するセルのハンドオーバ回数に基づいて、前記第１隣接セルリストを受信する基地局を選択することを特徴とする請求項２に記載の基地局。
【請求項４】
前記選択手段は、前記隣接する基地局が管理するセルのハンドオーバ成功率に基づいて、前記第１隣接セルリストを受信する基地局を選択することを特徴とする請求項２または３に記載の基地局。
【請求項５】
前記選択手段は、前記隣接する基地局が管理するセルのハンドオーバ失敗率に基づいて、前記第１隣接セルリストを受信する基地局を選択することを特徴とする請求項２から４のいずれか１つに記載の基地局。
【請求項６】
前記制御手段は、前記第１隣接セルリストに対して所定の最適化処理を施して前記第２隣接セルリストを生成することを特徴とする請求項１から５のいずれか１つに記載の基地局。
【請求項７】
前記最適化処理は、前記第１隣接セルリストから、送付元の基地局が管理するセルと自基地局が管理するセルとを削除する処理を含むことを特徴とする請求項６に記載の基地局。
【請求項８】
複数の基地局を備える通信システムであって、
前記複数の基地局のうちの少なくとも１つの基地局は、
隣接する基地局から、前記隣接する基地局が管理するセルに隣接するセルのリストである第１隣接セルリストを受信する受信手段と、
前記第１隣接セルリストを、自基地局が管理するセルに隣接するセルのリストである第２隣接セルリストとして用いる制御手段と、
を備えることを特徴とする通信システム。
【請求項９】
隣接する基地局から、前記隣接する基地局が管理するセルに隣接するセルのリストである第１隣接セルリストを受信し、
前記第１隣接セルリストを、自基地局が管理するセルに隣接するセルのリストである第２隣接セルリストとして用いる
ことを特徴とする通信方法。
【請求項１０】
隣接する基地局から、前記隣接する基地局が管理するセルに隣接するセルのリストである第１隣接セルリストを受信する処理と、
前記第１隣接セルリストを、自基地局が管理するセルに隣接するセルのリストである第２隣接セルリストとして用いる処理と、
を基地局のコンピュータに実行させるためのプログラムを記録することを特徴とする記憶媒体。
【発明の詳細な説明】
【技術分野】
【０００１】
本発明は、基地局と、基地局に関連する通信システム、通信方法、および記憶媒体に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において規定されているモバイルネットワークの中継基地局は、Ｕｎリンクを介して、基地局（Ｄｏｎｎｅｒ  ｅＮｏｄｅＢ、あるいはＤｅＮＢと呼ばれる）と接続される。ＤｅＮＢは、Ｓ１１リンクを介して、コアネットワークと中継基地局との間でデータを転送する。
モバイルネットワークは、主としてマクロ基地局により構成されていた。マクロ基地局のカバレッジ（マクロセル）は広く設定されているため、設置される基地局の数は少なかった。しかし、昨今、インターネット接続を頻繁に行うヘビーユーザが増加している。一方、マクロセル同士の境界領域、ビルの奥、地下等の場合、どうしても電波強度が微弱となり通信が困難となることがある。このような状況に対して上記ヘビーユーザから改善要望が寄せられていた。このような要望に応えるべく、通信事業者は、マクロセルより小さいセルの小型基地局（例えば、ピコ基地局や中継基地局）を設置することで対応している。
しかしながら、基地局の数の増加に伴い、１つのセルに隣接するセル数が増加する。従って、隣接セルリストを手動で作成することが困難になっており、以下で説明するような、セル増設時等に隣接セルリストを自動的に設定する技術を採用する必要に迫られている。
ここで、隣接セルリストとは、セル内にある移動端末がアイドル状態にあるときに移動先セルを決定するときに参照されるリストのことをいう。すなわち、あるセルの隣接セルリストとは、あるセルに隣接するセルのリストであるといえる。また、隣接セルリストは、セル内にある移動端末がＲＲＣ（Ｒａｄｉｏ  Ｒｅｓｏｕｒｃｅ  Ｃｏｎｔｒｏｌ）Ｃｏｎｎｅｃｔｅｄ状態にあるときに、基地局がハンドオーバ先セルを決定するときに参照される。一般的に、隣接セルリストは、基地局によってセル内に報知されている。
一般に、隣接セルリストにおけるセルの優先度は、ハンドオーバの実施回数とハンドオーバの失敗率に基づいて決定される。例えば、ハンドオーバの実施回数が多く、かつハンドオーバの失敗率が低い隣接セルほど高い優先度が設定される。隣接セルリストにセルが追加されてもハンドオーバが発生していないセルや、ハンドオーバ回数が多くてもハンドオーバに失敗しやすいセルは、次の隣接セルリストの更新時に削除される。
上述の通り、ピコ基地局や中継基地局は、マクロ基地局に比べて小規模である。そのため、ピコ基地局や中継基地局では、ハンドオーバ先として選択されるセルが限定されてしまい、十分な統計情報が取得できないことがある。そのため、ピコ基地局や中継基地局では、最適な隣接セルリストを作成できないことが問題となっていた。
隣接セルリストの最適化を実現するアルゴリズムとして、ＡＮＲ（Ａｕｔｏｍａｔｉｃ  Ｎｅｉｇｈｂｏｒ  Ｒｅｌａｔｉｏｎ）がある。しかし、ＡＮＲでは、基地局に対して大きな計算負荷がかかるものが多いため、処理能力の小さなピコ基地局や中継基地局において実行するには不向きであった。
最適な隣接セルリストを作成する他の技術として、特許文献１および特許文献２が挙げられる。特許文献１には、各基地局から情報を収集して最適化端末に送信する保守サーバと、受信した情報をもとに隣接セルリストの最適化を行う最適化端末が開示されている。
特許文献２には、基地局を新設する場合の隣接セルリストの最適化に関する技術が開示されている。まず、新設される基地局は、隣接する基地局に対して新設通知を送信する。通知を受信した基地局は、新設される基地局との距離が閾値以下の場合に応答を返す。新設される基地局は、応答を受信し、かつ距離の近い基地局から順に隣接セルリストに記載することで、最適な隣接セルリストを作成する。
【先行技術文献】
【特許文献】
【０００３】
【特許文献１】特開２００８−１５３９６３号公報
【特許文献２】特開２０１１−００４１０１号公報
【発明の概要】
【発明が解決しようとする課題】
【０００４】
しかしながら、特許文献１に示す方法の場合、基地局と保守サーバと最適化端末との間で頻繁な通信が実行される。たとえば、基地局は、統計情報を定期的に保守サーバへ送信する。従って、特許文献１のような方法にて隣接セルリストを作成する場合、ネットワークの通信トラフィックの増大が危惧される。
特許文献２の場合、新設される基地局が隣接する基地局に対して新設通知をマルチキャストするため、隣接セルリスト作成時の通信トラフィックの増大が危惧される。
本発明の目的は、通信トラフィックを増大させることなく隣接セルリストを作成することが可能な、基地局、通信システム、通信方法、および記憶媒体を提供することにある。
【課題を解決するための手段】
【０００５】
本発明の基地局は、隣接する基地局から、前記隣接する基地局が管理するセルに隣接するセルのリストである第１隣接セルリストを受信する受信手段と、前記第１隣接セルリストを、自基地局が管理するセルに隣接するセルのリストである第２隣接セルリストとして用いる制御手段と、を備える。
本発明の通信システムは、複数の基地局を備える通信システムであって、前記複数の基地局のうちの少なくとも１つの基地局は、隣接する基地局から、前記隣接する基地局が管理するセルに隣接するセルのリストである第１隣接セルリストを受信する受信手段と、前記第１隣接セルリストを、自基地局が管理するセルに隣接するセルのリストである第２隣接セルリストとして用いる制御手段と、を備える。
本発明の通信方法は、隣接する基地局から、前記隣接する基地局が管理するセルに隣接するセルのリストである第１隣接セルリストを受信し、前記第１隣接セルリストを、自基地局が管理するセルに隣接するセルのリストである第２隣接セルリストとして用いる。
本発明の記憶媒体は、隣接する基地局から、前記隣接する基地局が管理するセルに隣接するセルのリストである第１隣接セルリストを受信する処理と、前記第１隣接セルリストを、自基地局が管理するセルに隣接するセルのリストである第２隣接セルリストとして用いる処理と、を基地局のコンピュータに実行させるためのプログラムを記録する。
【発明の効果】
【０００６】
通信トラフィックを増大させることなく隣接セルリストを作成することが可能となる。
【図面の簡単な説明】
【０００７】
【図１】第１の実施形態の基地局の構成例を示したブロック図である。
【図２】第１の実施形態の基地局の動作例を示したフローチャートである。
【図３】第２の実施形態の通信システムの構成例を示したブロック図である。
【図４】図３に示すピコ基地局の構成例を示したブロック図である。
【図５】ピコ基地局の記憶部に記憶される隣接セルリストの一例を示した図である。
【図６】第２の実施形態の通信システムの基地局同士の関係（各基地局のセル同士の関係）を説明するための図である。
【図７】第２の実施形態の通信システムの、Ｘ２リンクを介してピコ基地局が基地局から隣接セルリストを受信する動作を説明するためのシーケンス図である。
【図８】第２の実施形態の通信システムの、Ｓ１リンクを介してピコ基地局が基地局から隣接セルリストを受信する動作を説明するためのシーケンス図である。
【図９】第２の実施形態の通信システムを構成するピコ基地局の基本的な動作例を説明するためのフローチャートである。
【図１０】第２の実施形態において基地局が扱う統計情報の例を示した図である。
【図１１】第３の実施形態の通信システムのピコ基地局の動作例を説明するためのフローチャートである。
【図１２】第３の実施形態の通信システムのピコ基地局における隣接セルリストの最適化処理を説明するためのフローチャートである。
【発明を実施するための形態】
【０００８】
以下、図面を参照して本発明の実施形態について説明する。
［第１の実施形態］
［構成］
図１は、本発明の第１の実施形態の基地局１０００の構成例を示した図である。基地局１０００は、受信部１００２と、制御部１００３と、を含む。また、基地局１０００は、セルを管理している。
受信部１００２は、隣接する基地局から、隣接する基地局が管理するセルに隣接するセルのリストである第１隣接セルリストを受信する。制御部１００３は、受信した第１隣接セルリストを、基地局１０００が管理するセルに隣接するセルのリストである第２隣接セルリストとして用いる。
［動作］
図２は、第１の実施形態にの基地局１０００の動作例を示すフローチャートである。受信部１００２は、隣接する基地局から第１隣接セルリストを受信する（ステップＳ１００１）。制御部１００３は、受信した第１隣接セルリストを、基地局１０００が管理するセルに隣接するセルのリストである第２隣接セルリストとして用いる（ステップＳ１００２）。
［効果］
以上説明した第１の実施形態において、基地局１０００によって管理されるセルに隣接するセルのリストである第２隣接セルリストの作成にあたって基地局１０００と隣接する基地局との間で行われる通信は、基本的には、第１隣接セルリストの受信だけである。すなわち、特許文献１や特許文献２のような頻繁な通信は不要である。すなわち、第１の実施形態によれば、通信トラフィックを増大させることなく隣接セルリストを作成することが可能となる。
［第２の実施形態］
［システムの構成］
図３は、第２の実施形態の通信システム３００の構成例を示したブロック図である。通信システム３００は、ＭＭＥ（Ｍｏｂｉｌｉｔｙ  Ｍａｎａｇｅｍｅｎｔ  Ｅｎｔｉｔｙ）３０１、Ｓ−ＧＷ（Ｓａｖｉｎｇ−Ｇａｔｅｗａｙ）３０２、基地局３０３、基地局３０４を含む。通信システム３００は、さらに、中継基地局３０５、移動端末３０６−１、移動端末３０６−２、移動端末３０６−３を含む。
基地局３０３、基地局３０４、ピコ基地局３０７は、ＭＭＥ３０１およびＳ−ＧＷ３０２とネットワークを介して接続している。以降、これらの基地局について、特に区別しない場合には、単に基地局と呼称する。同様に、移動端末３０６−１、移動端末３０６−２、移動端末３０６−３について、特に区別しない場合には、単に移動端末３０６と呼称する。
また、移動端末３０６は、図３の例では３台あり、基地局３０３、中継基地局３０５、ピコ基地局３０７にそれぞれ接続しているものとする。
図３に示す通信システム３００は、どのようなネットワークで構成されていても良いが、以下では、ＬＴＥ（Ｌｏｎｇ  Ｔｅｒｍ  Ｅｖｏｌｕｔｉｏｎ）を用いたネットワークを例にとって説明する。
ＭＭＥ３０１は、基地局との間で、Ｓ１−ＭＭＥリンクを介して制御信号を送信および受信する機能を有する。Ｓ−ＧＷ３０２は、基地局との間でＳ１−Ｕリンクを介してユーザデータを送信および受信する機能を有する。
基地局は、各々がセルを管理している。また、基地局は、中継基地局を収容することができる。図３では、基地局３０４が、中継基地局３０５を収容している。中継基地局３０５を収容する基地局３０４は、上述の通り、ＤｅＮＢとも呼ばれる。基地局間はＸ２リンクで接続される。
ピコ基地局３０７は基地局３０３と同様の機能を持つが、送信電力が小さく、基地局３０３と比較してカバレッジも小さい。
基地局３０４と中継基地局３０５は、Ｕｎリンクで接続されている。基地局はＭＭＥ３０１およびＳ−ＧＷ３０２と中継基地局３０５間のデータの転送機能を有する。ＭＭＥ３０１およびＳ−ＧＷ３０２と中継基地局３０５間のデータは、Ｓ１１リンクを介して転送される。
図３に示した各装置は上述したもの以外にも多数の機能を持つが、その詳細な機能についての説明は省略する。
［基地局の構成］
図４は、ピコ基地局３０７の構成例を示したブロック図である。なお、図４の構成は、ピコ基地局３０７だけではなく、他の基地局３０３、基地局３０４、あるいは中継基地局３０５にも適用することができる。
以降、第２の実施形態の構成と動作について、特に断りのない限りは、ピコ基地局３０７を例に説明する。なお、第２の実施形態の構成および動作は、ピコ基地局３０７に限られるものではなく、基地局３０３、基地局３０４、あるいは中継基地局３０５にも適用することが可能である。また、ピコ基地局３０７は、複数のセルを管理していても良いが、以下では説明の簡単化のために、ピコ基地局３０７は１つのセルを管理するものとして説明する。
ピコ基地局３０７は、記憶部３０７１、受信部３０７２、制御部３０７３、選択部３０７４、測定部３０７５を含む。
記憶部３０７１は、ピコ基地局３０７が管理するセルの隣接セルリストを記憶する。隣接セルリストは、上述の通り、ピコ基地局３０７からのハンドオーバ先の候補となるセルを示したリストである。
図５は、記憶部３０７１に記憶される隣接セルリストの一例を示した図である。図５の例では、セル＃ａ、＃ｂ、＃ｃ、＃ｄ、＃ｆ、＃ｅが、隣接セルとしてリストアップされている。さらに、図５の例では、各セルに対して、各セルのハンドオーバ回数が対応付けられている。図５の例では、各セルは、ハンドオーバ回数の降順を優先順位として並べられている。
図５では、各セルに対してハンドオーバ回数が付随しているが、各セルがリストアップされてさえいればよく、ハンドオーバ回数は必ずしも必要ではない。また、ハンドオーバ回数ではなく、その他の情報を採用することもできるし、その他の情報を加えることもできる。例えば、ハンドオーバの成功率、ハンドオーバの失敗率等が挙げられる。
図４の説明に戻り、受信部３０７２は、ピコ基地局３０７が管理するセルに隣接する基地局から、該基地局の有する隣接セルリストを受信する。
制御部３０７３は、受信部３０７２が受信した他の基地局の隣接セルリストを、ピコ基地局３０７が管理するセルの隣接セルリストとして用いる。
選択部３０７４は、隣接する基地局のセルの状態に基づいて、隣接セルリストを受信する基地局を選択する。選択部３０７４は、隣接する基地局のセルの状態を、記憶部３０７１の隣接セルリストまたは測定部３０７５から受信する。
測定部３０７５は、隣接するセルのハンドオーバ回数やハンドオーバ失敗率等の情報を測定し、選択部３０７４または記憶部３０７１に出力する。
［動作］
図６は、第２の実施形態の通信システム３００の動作を説明するための図であり、より詳細には、基地局３０３、基地局３０４、中継基地局３０５、ピコ基地局３０７、ピコ基地局３０８のセルと、移動端末３０６との関係を示した図である。なお、簡単のために、ＭＭＥ３０１、Ｓ−ＧＷ３０２は省略している。また、各基地局は複数のセルを有していても良いが、図６の例では、各基地局はそれぞれ１つのセルを有しているものとする。
図６の例では、移動端末３０６−１、ピコ基地局３０７とピコ基地局３０８は、基地局３０３のセルに包含されている。同様に、移動端末３０６−２、中継基地局３０５とピコ基地局３０８は、基地局３０４のセルに包含されている。
上述した通り、中継基地局３０５やピコ基地局３０７、ピコ基地局３０８のカバレッジは、基地局３０３、基地局３０４と比べて小さい。従って、そのような基地局の有する隣接セルリストにリストアップされるセルも、必然的に少なくなる。
そこで、第２の実施形態では、ピコ基地局や中継基地局等のカバレッジの小さい基地局は、よりカバレッジの大きい基地局から隣接セルリストを受信して、自身の隣接セルリストとして用いる。
例えば、ピコ基地局３０７は、ピコ基地局３０７を包含するセルを有する基地局３０３から隣接セルリストを受信する。同様に、中継基地局３０５は、中継基地局３０５を包含するセルを有する基地局３０４から隣接セルリストを受信する。また、基地局３０３と基地局３０４の双方のセルに包含されるピコ基地局３０８は、基地局３０３と基地局３０４のうち、隣接セルリストを受信する基地局を選択して、選択した基地局から受信する。
図７は、第２の実施形態の通信システム３００の動作、より詳細には、Ｘ２リンクを介してピコ基地局３０７が基地局３０３から隣接セルリストを受信する動作を説明するためのシーケンス図である。
ピコ基地局３０７が、Ｘ２リンクを介して基地局３０３から隣接セルリストを取得する場合を例にとって、図７を用いてその動作を説明する。選択部３０７４は、隣接セルリストを受信する基地局を基地局３０３に選択したとする。選択部３０７４は、選択した基地局３０３に対して隣接セルリストの送信を要求する（ステップＳ１０１）。要求を受けた基地局３０３は、ピコ基地局３０７に対して、基地局３０３のカバレッジの大きさを示す情報とともに隣接セルリストを送信する（ステップＳ１０２）。
また、ある基地局が、他の通信装置を介して、別の基地局から隣接セルリストを受信することも可能である。中継する通信装置としては、例えば、ＭＭＥ３０１や、図示していないネットワークの管理装置等が挙げられる。
図８は、第２の実施形態の通信システム３００の動作、より詳細には、Ｓ１リンクを介してピコ基地局３０７が基地局３０３から隣接セルリストを受信する動作を説明するためのシーケンス図である。
ピコ基地局３０７の選択部３０７４は、ＭＭＥ３０１に対し、隣接セルリストの送信を要求する（ステップＳ２０１）。この要求を受信したＭＭＥ３０１は、基地局３０３に対して要求を送信する（ステップＳ２０２）。続いて、基地局３０３は、ＭＭＥ３０１に対して、基地局３０３のカバレッジの大きさを示す情報とともに、隣接セルリストを送信する（ステップＳ２０３）。次に、ＭＭＥ３０１は、ピコ基地局３０７に対して、基地局３０３のカバレッジの大きさを示す情報とともに隣接セルリストを送信する（ステップＳ２０４）。
図９は、図４に示すピコ基地局３０７の基本的な動作例を説明するためのフローチャートである。選択部３０７４は、隣接セルリストを受信する他の基地局を選択する（ステップＳ３０１）。選択部３０７４は、選択した基地局に対して、隣接セルリストの送信を要求する。受信部３０７２は、選択した基地局から、隣接セルリストを受信する（ステップＳ３０２）。制御部３０７３は、受信した隣接セルリストを、ピコ基地局３０７が管理するセルの隣接セルリストとして用いる（ステップＳ３０３）。
［ピコ基地局の具体的な動作例］
以降、ピコ基地局３０７が管理するセルの隣接セルリストを受信するまでの動作について、具体的に説明する。なお、ピコ基地局３０８も同様の動作をするため、その説明は省略する。
まず、セルプランニングにより地理情報等から距離的に近いセルが、ピコ基地局３０７の隣接セルリストの初期値として入力される。
測定部３０７５は、初期の隣接セルリストの各セルについて、統計情報としてハンドオーバ回数とハンドオーバ失敗率を測定する。測定部３０７５が測定した統計情報は、図１０のようなテーブルに記憶される。
図１０では、統計情報として、隣接セル毎のハンドオーバ回数とハンドオーバ失敗率が含まれている。また、図１０では、ハンドオーバ回数の多い順にセルが並べられている。統計情報としては、他にハンドオーバ成功率等を用いても良い。
次に、選択部３０７４は、図１０のテーブルを参照して、ピコ基地局３０７が有するセルを包含しているセル、もしくはもっとも重なりが大きいセルを特定する。例えば、ピコ基地局３０７は、ハンドオーバ回数が最も多く、かつハンドオーバ失敗率が閾値未満のセルを選択することが考えられる。ハンドオーバ失敗率の閾値を１０％とすると、ピコ基地局３０７が選択するセルはセル＃ｂとなる。
選択部３０７４は、Ｘ２リンク、もしくはＳ１リンクを介して選択したセル＃ｂを管理する基地局３０３に対して、隣接セルリストの送信を要求する。
基地局３０３は、セル＃ｂの隣接セルリストをピコ基地局３０７へ送信する。ここで、基地局３０３はカバレッジの大きさを示す情報も合わせて送信する。この情報は基地局の固有の識別子や、ピコ基地局や中継基地局等の基地局の種類を示す識別子であってもよい。
よって、仮に、隣接セルリストの送信要求を受信したセルがピコ基地局もしくは中継基地局のセルであった場合、隣接セルリストの送信時にカバレッジの小さなセルであることを通知することになる。
その場合、隣接セルリストを受信したピコ基地局３０７は、受信した隣接セルリストを使用しないという決定もできる。なぜなら、カバレッジの小さなセルに隣接するセル数は少ないため、ピコ基地局３０７において隣接セルの設定漏れが生じる可能性があるためである。
ピコ基地局３０７が、ピコ基地局３０８、もしくは中継基地局３０５のセルの隣接セルリストを使用しない場合には、以下の動作を行う。ピコ基地局３０７は、ピコ基地局３０７が管理するセルの隣接セルについての統計情報のリストのうち、優先度が高いセルから順番に隣接セルリストの送信を要求する。ピコ基地局３０７は、ピコ基地局３０８もしくは中継基地局３０５のセル以外のセルから隣接セルリストを受信できるまで繰り返す。
［中継基地局の動作］
次に、中継基地局３０５の隣接セルリストを受信するまでの動作について、具体的に説明する。
中継基地局３０５は、中継基地局３０５に接続しているＤｅＮＢを選択する。図３と図６の例では、基地局３０４が選択される。
中継基地局３０５は、Ｕｎリンクを介して、基地局３０４に対して隣接セルリストの送信を要求する。基地局３０３は隣接セルリストを中継基地局３０５へ送信する。
以上、第２の実施形態について、ピコ基地局と中継基地局を例にとって説明した。しかしながら、ピコ基地局や中継基地局ではない、例えば基地局３０３や基地局３０４であっても、第２の実施形態の構成および動作は適用可能である。例えば基地局３０３であれば、基地局３０４から隣接セルリストを受信して、受信した隣接セルリストを自局が管理するセルの隣接セルリストとして用いることも可能である。同様に、ピコ基地局や中継基地局よりもさらにカバレッジの小さいフェムト基地局においても第２の実施形態による構成および動作は適用可能である。
［効果］
第２の実施形態において、ピコ基地局３０７の隣接セルリストの作成にあたってピコ基地局３０７と隣接する基地局（例えば、基地局３０３）との間で行われる通信は、基地局３０３が管理する隣接セルリストの受信と隣接セルリストの送信要求だけである。すなわち、特許文献１や特許文献２のような頻繁な通信は不要である。すなわち、第２の実施形態によれば、通信トラフィックを増大させることなく隣接セルリストを作成することが可能となる。
［第３の実施形態］
次に、本発明による第３の実施形態について説明する。第３の実施形態は、第２の実施形態に加えて、他の基地局から受信した隣接セルリストを最適化するという点で異なっている。なお、第３の実施形態は、ある基地局が他の基地局から隣接セルリストを受信するという点では、第２の実施形態と共通している。従って、第２の実施形態と共通する部分については、適宜説明を省略する。
［構成］
第３の実施形態によるピコ基地局３０７は、図４に示した第２の実施形態によるピコ基地局３０７の構成と同様であるため、説明を省略する。なお、第２の実施形態と同様に、第３の実施形態の構成および動作は、ピコ基地局３０７に限られるものではなく、基地局３０３、基地局３０４、あるいは中継基地局３０５にも適用することが可能である。
［動作］
以下、第３の実施形態による動作について、図１１を参照し、ピコ基地局３０７を例にとって説明する。図１１は、ピコ基地局３０７の動作例を説明するためのフローチャートである。
まず、選択部３０７４は、隣接セルリストを受信する他の基地局を選択する（ステップＳ４０１）。ここでは、選択部３０７４は、隣接セルリストを受信する基地局を基地局３０３に選択したとする。選択部３０７４は、選択した基地局３０３に対して、隣接セルリストの送信を要求する。
次に、受信部３０７２は、選択した基地局から、隣接セルリストを受信する（ステップＳ４０２）。
以上のステップＳ４０１とステップＳ４０２の動作は、それぞれ図８に示した第２の実施形態の動作のステップＳ３０１とステップＳ３０２と同様である。
ステップＳ４０２で受信部３０７２が隣接セルリストを受信すると、ピコ基地局３０７はステップＳ４０３の動作を行う。制御部３０７３は、受信した隣接セルリストを最適化する。この最適化については、後に詳しく説明する。
最後に、制御部３０７３は、最適化した隣接セルリストを、ピコ基地局３０７が管理するセルの隣接セルリストとして用いる（ステップＳ４０４）。
［受信した隣接セルリストの最適化］
以下、受信した隣接セルリストの最適化について、図１２のフローチャートを参照して説明する。以下では、ピコ基地局３０７が、基地局３０３が管理するセル＃ｂの隣接セルリストを受信した場合を例にとって説明する。
まず、ピコ基地局３０７の受信部３０７２が、基地局３０３からセル＃ｂの隣接セルリストを受信する。このとき、基地局３０３から受信した隣接セルリストには、セル＃ｂはハンドオーバの候補先として記載されていない。よって、制御部３０７３は、受信した隣接セルリストにセル＃ｂを追加する。さらに、制御部３０７３は、受信した隣接セルリストから、基地局３０３（送付元の基地局）が管理するセルおよびピコ基地局３０７（自基地局）が管理するセルを削除する（ステップＳ５０１）。ピコ基地局３０７は、ステップＳ５０１で作成した隣接セルリストを、ピコ基地局３０７が管理するセルの隣接セルリストとして使用する。
ステップＳ５０１の処理の後、測定部３０７５は、隣接セルリストに記載されたセルへのハンドオーバ回数を測定する。測定の結果、所定の期間中に、あるセルに対してハンドオーバが発生しているかどうかを判定する（ステップＳ５０２）。
ステップＳ５０２の結果、あるセルに対してハンドオーバが発生していない場合には、制御部３０７３は、該当セルを隣接セルリストから削除する（ステップＳ５０３：Ｎｏ）。また、隣接セルリストのうち、いずれのセルに対してもハンドオーバが発生している場合には、測定部３０７５は測定を継続する（ステップＳ５０３：Ｙｅｓ）。
以上、ピコ基地局３０７の動作について説明したが、中継基地局３０５の場合でも同様の動作が行われるので、その説明は省略する。
なお、上述した方法以外にも、様々な方法を用いて受信した隣接セルリストの最適化を行うことが可能である。
以上、第３の実施形態について、ピコ基地局と中継基地局を例にとって説明した。しかしながら、ピコ基地局や中継基地局ではない、例えば基地局３０３や基地局３０４であっても、第３の実施形態の構成および動作は適用可能である。例えば基地局３０３であれば、基地局３０４から隣接セルリストを受信して、受信した隣接セルリストを自局が管理するセルの隣接セルリストとして用いることも可能である。同様に、ピコ基地局や中継基地局よりもさらにカバレッジの小さいフェムト基地局においても第３の実施形態による構成および動作は適用可能である。
［効果］
第３の実施形態によれば、第２の実施形態と同様に、通信トラフィックを増大させることなく隣接セルリストを作成することが可能となる。
また、第３の実施形態によるピコ基地局３０７は、受信した隣接セルリストに対して、ピコ基地局３０７が管理するセルに最適な隣接セルリストとなるように最適化を行っている。従って、ピコ基地局３０７が得られる統計情報が少ない場合であっても、周辺環境に合わせて少ない処理量で最適な隣接セルリストを作成でき、さらにはハンドオーバ失敗率を低減することが可能である。
なお、以上説明した第１〜第３の実施形態における基地局、ピコ基地局、中継基地局は、その有する機能をハードウェアで実現することも可能であるし、コンピュータと、コンピュータ上で実行されるプログラムとで実現することも可能である。プログラムは、磁気ディスクや半導体メモリ等の記録媒体に記録されて提供され、コンピュータの立ち上げ時などにコンピュータに読み取られる。このようにコンピュータの動作を制御し、コンピュータを上述の各実施形態における基地局、ピコ基地局、中継基地局として機能させ、前述した処理を行わせる。
さらに、上記の実施形態の一部または全部は、以下の付記のようにも記載され得るが、以下には限られない。
（付記１）
基地局であって、
前記基地局が管理するセルに隣接するセルのリストを記憶する記憶手段と、
前記基地局に隣接する基地局から、前記隣接する基地局が記憶するリストを受信する受信手段と、
前記受信したリストを自基地局が管理するセルのリストとして用いる制御手段と、
を備えることを特徴とする基地局。
（付記２）
前記制御手段は、
前記受信したリストを最適化して前記自基地局が管理するセルのリストとして用いる
ことを特徴とする付記１に記載の基地局。
（付記３）
前記基地局は、さらに、
前記リストを受信する基地局を選択する選択手段を備える
ことを特徴とする付記１または２に記載の基地局。
（付記４）
前記選択手段は、前記隣接する基地局が管理するセルのハンドオーバ回数に基づいて、前記リストを受信する基地局を選択する
ことを特徴とする付記３に記載の基地局。
（付記５）
前記選択手段は、前記隣接する基地局が管理するセルのハンドオーバ成功率に基づいて、前記リストを受信する基地局を選択する
ことを特徴とする付記３または４に記載の基地局。
（付記６）
前記選択手段は、前記隣接する基地局が管理するセルのハンドオーバ失敗率に基づいて、前記リストを受信する基地局を選択する
ことを特徴とする付記３から５のいずれか１つに記載の基地局。
（付記７）
前記制御手段は、
前記受信したリストの送付元の基地局が管理するセルと、自基地局が管理するセルとを削除して前記リストの最適化を行う
ことを特徴とする付記１から６のいずれか１つに記載の基地局。
（付記８）
前記制御手段は、
前記リスト内のセルのうち、所定期間中にハンドオーバが実行されていないセルを前記リストから削除して前記リストの最適化を行う
ことを特徴とする付記１から７のいずれか１つに記載の基地局。
（付記９）
複数の基地局を備える通信システムであって、
前記基地局は、
前記基地局が管理するセルに隣接するセルのリストを記憶する記憶手段と、
前記基地局に隣接する基地局から、前記隣接する基地局が記憶するリストを受信する受信手段と、
前記受信したリストを自基地局が管理するセルのリストとして用いる制御手段と、
を備えることを特徴とする通信システム。
（付記１０）
前記制御手段は、
前記受信したリストを最適化して前記自基地局が管理するセルのリストとして用いる
ことを特徴とする付記９に記載の通信システム。
（付記１１）
前記基地局は、さらに、
前記リストを受信する基地局を選択する選択手段を備える
ことを特徴とする付記９または１０に記載の通信システム。
（付記１２）
前記選択手段は、前記隣接する基地局が管理するセルのハンドオーバ回数に基づいて、前記リストを受信する基地局を選択する
ことを特徴とする付記１１に記載の通信システム。
（付記１３）
前記選択手段は、前記隣接する基地局が管理するセルのハンドオーバ成功率に基づいて、前記リストを受信する基地局を選択する
ことを特徴とする付記１１または１２に記載の通信システム。
（付記１４）
前記選択手段は、前記隣接する基地局が管理するセルのハンドオーバ失敗率に基づいて、前記リストを受信する基地局を選択する
ことを特徴とする付記１１から１３のいずれか１つに記載の通信システム。
（付記１５）
前記制御手段は、
前記受信したリストの送付元の基地局が管理するセルと、自基地局が管理するセルとを削除して前記リストの最適化を行う
ことを特徴とする付記９から１４のいずれか１つに記載の通信システム。
（付記１６）
前記制御手段は、
前記リスト内のセルのうち、所定期間中にハンドオーバが実行されていないセルを前記リストから削除して前記リストの最適化を行う
ことを特徴とする付記９から１６のいずれか１つに記載の通信システム。
（付記１７）
隣接する基地局から、前記隣接する基地局に隣接するセルのリストを受信するステップと、
前記受信したリストを自基地局が管理するセルのリストとして用いるステップと、
を含むことを特徴とする通信方法。
（付記１８）
前記通信方法は、さらに、
前記受信したリストを最適化するステップを含み、
前記最適化したリストを前記自基地局が管理するセルのリストとして用いる
ことを特徴とする付記１７に記載の通信方法。
（付記１９）
前記通信方法は、さらに、
前記リストを受信する基地局を選択するステップを含む
ことを特徴とする付記１７または１８に記載の通信方法。
（付記２０）
前記隣接する基地局が管理するセルのハンドオーバ回数に基づいて、前記リストを受信する基地局を選択する
ことを特徴とする付記１９に記載の通信方法。
（付記２１）
前記隣接する基地局が管理するセルのハンドオーバ成功率に基づいて、前記リストを受信する基地局を選択する
ことを特徴とする付記１９または２０に記載の通信方法。
（付記２２）
前記隣接する基地局が管理するセルのハンドオーバ失敗率に基づいて、前記リストを受信する基地局を選択する
ことを特徴とする付記１９から２１のいずれか１つに記載の通信方法。
（付記２３）
前記受信したリストの送付元の基地局が管理するセルと、自基地局が管理するセルとを削除して前記リストの最適化を行う
ことを特徴とする付記１７から２２のいずれか１つに記載の通信方法。
（付記２４）
前記リスト内のセルのうち、所定期間中にハンドオーバが実行されていないセルを前記リストから削除して前記リストの最適化を行う
ことを特徴とする付記１７から２３のいずれか１つに記載の通信方法。
（付記２５）
隣接する基地局から、前記隣接する基地局に隣接するセルのリストを受信する処理と、
前記受信したリストを自基地局が管理するセルのリストとして用いる処理と、
をコンピュータに実行させることを特徴とするプログラム。
（付記２６）
前記プログラムは、さらに、
前記受信したリストを最適化する処理を含み、
前記最適化したリストを前記自基地局が管理するセルのリストとして用いる
ことを特徴とする付記２５に記載のプログラム。
（付記２７）
前記プログラムは、さらに、
前記リストを受信する基地局を選択する処理を含む
ことを特徴とする付記２５または２６に記載のプログラム。
（付記２８）
前記隣接する基地局が管理するセルのハンドオーバ回数に基づいて、前記リストを受信する基地局を選択する
ことを特徴とする付記２７に記載のプログラム。
（付記２９）
前記隣接する基地局が管理するセルのハンドオーバ成功率に基づいて、前記リストを受信する基地局を選択する
ことを特徴とする付記２７または２８に記載のプログラム。
（付記３０）
前記隣接する基地局が管理するセルのハンドオーバ失敗率に基づいて、前記リストを受信する基地局を選択する
ことを特徴とする付記２７から２９のいずれか１つに記載のプログラム。
（付記３１）
前記受信したリストの送付元の基地局が管理するセルと、自基地局が管理するセルとを削除して前記リストの最適化を行う
ことを特徴とする付記２５から３０のいずれか１つに記載のプログラム。
（付記３２）
前記リスト内のセルのうち、所定期間中にハンドオーバが実行されていないセルを前記リストから削除して前記リストの最適化を行う
ことを特徴とする付記２５から３１のいずれか１つに記載のプログラム。
以上、実施形態を参照して本願発明を説明したが、本願発明は上記実施形態に限定されものではない。本願発明の構成や詳細には、本願発明のスコープ内で当業者が理解し得る様々な変更をすることができる。
この出願は、２０１１年１１月１日に出願された日本出願特願２０１１−２４０３９８号を基礎とする優先権を主張し、その開示の全てをここに取り込む。
【符号の説明】
【０００９】
３００  通信システム
３０１  ＭＭＥ
３０２  Ｓ−ＧＷ
３０３、３０４、１０００  基地局
３０５  中継基地局
３０６  移動端末
３０７、３０８  ピコ基地局
１００２  受信部
１００３  制御部
３０７１  記憶部
３０７２  受信部
３０７３  制御部
３０７４  選択部
３０７５  測定部
【図１】
2013065857.tif 000003
【図２】
2013065857.tif 000004
【図３】
2013065857.tif 000005
【図４】
2013065857.tif 000006
【図５】
2013065857.tif 000007
【図６】
2013065857.tif 000008
【図７】
2013065857.tif 000009
【図８】
2013065857.tif 000010
【図９】
2013065857.tif 000011
【図１０】
2013065857.tif 000012
【図１１】
2013065857.tif 000013
【図１２】
2013065857.tif 000014
【手続補正書】
【提出日】平成26年4月15日(2014.4.15)
【手続補正１】
【補正対象書類名】特許請求の範囲
【補正対象項目名】請求項１０
【補正方法】変更
【補正の内容】
【請求項１０】
隣接する基地局から、前記隣接する基地局が管理するセルに隣接するセルのリストである第１隣接セルリストを受信する処理と、
前記第１隣接セルリストを、自基地局が管理するセルに隣接するセルのリストである第２隣接セルリストとして用いる処理と、
を基地局のコンピュータに実行させるためのプログラム。
【国際調査報告】
2013065857.tif 000015
2013065857.tif 000016